(57)【要約】【課題】屋外に設置され内部に発熱体を有する箱体構造物の内部を冷却する冷却装置において、本体の小型化ができ、また屋外設置等の過酷な条件下でも、内気風路および箱体構造物内への雨水および塵埃等の浸入を防止することができ、またメンテ作業のし易い構造の冷却装置を提供することを目的としている。【解決手段】顕熱交換器３と循環用ファン４と外気用ファン５を備え、ボディ１の背面上方に設けた循環空気吸込口６より箱体構造物２内上方の高温空気を取り込み冷却し、循環用ファン４および外気用ファン５を隣接してフロントパネル９に固定しフロントパネル９の着脱と同時に循環用ファン４および外気用ファン５の着脱が行え、ボディ１とフロントパネル９をシール部材２１を介して、シールドナット２５とボルト２６により固定し、ボディ１とフロントパネル９とのクリアランス隙間から塵埃や雨水が内気風路８へ進入することを防止できる冷却装置を得られる。【選択図】図１
2005098572.tif 000002
【特許請求の範囲】
【請求項１】
顕熱交換器と循環用送風機と外気用送風機と収容部を備え、前記収容部に前記顕熱交換器と前記循環用送風機と前記外気用送風機が収容され、前記収容部に循環空気吸込口と循環空気吹出口を備え、機器の発熱により熱せられた空気を前記循環用送風機により前記収容部の前記循環空気吸込口を経由して前記顕熱交換器に送風し前記顕熱交換器で前記外気用送風機により送風された外気と顕熱交換して冷却後、前記収容部の前記循環空気吹出口を経由して機器が設置されている空間に送られ空気循環する冷却装置において、前記循環用送風機と前記外気用送風機を隣接させ、前記循環用送風機および前記外気用送風機の吸込側に前記顕熱交換器を配し、前記循環空気吸込口を前記収容部の上方に設け、前記外気吸込口を覆うカバー部材を設けたことを特徴とする冷却装置。
【請求項２】
循環用送風機と外気用送風機とを隣接させ、前記循環用送風機及び前記外気用送風機の吹出側に顕熱交換器を配置したこと特徴とする請求項１記載の冷却装置。
【請求項３】
循環用送風機と外気用送風機とを隣接させ、前記循環用送風機の吹出側かつ前記外気用送風機の吸込側に顕熱交換器を配置したことを特徴とする請求項１記載の冷却装置。
【請求項４】
機器が設置されている箱体構造物に冷却装置を取り付けた際、前記冷却装置の上面を前記冷却装置の上面の雨水が箱体構造物に取付られた方向に流れない構造としたこと特徴とする請求項１、２または３のいずれか１項記載の冷却装置。
【請求項５】
収容部と蓋状部材を備え、前記蓋状部材は前記収容部に取り付けられた際、収容部の一面全部または一部をなし、前記蓋状部材がなす面の略法線方向に押圧力を発生させる固定手段により前記蓋状部材と前記収容部とを固定したことを特徴とする請求項１、２、３または４のいずれか１項記載の冷却装置。
【請求項６】
循環用送風機、外気用送風機および顕熱交換器をそれぞれ独立して収容部から着脱可能としたことを特徴とする請求項１、２、３、４または５のいずれか１項記載の冷却装置。
【請求項７】
循環用送風機および外気用送風機の少なくとも１つを蓋状部材に固定したことを特徴とする請求項１、２、３、４、５または６のいずれか１項記載の冷却装置。
【請求項８】
顕熱交換器を固定する顕熱交換器固定手段を可動または着脱可能としたことを特徴とする請求項１、２、３、４、５、６または７のいずれか１項記載の冷却装置。
【請求項９】
顕熱交換器固定手段に循環用送風機または外気用送風機の少なくとも１つを固定したことを特徴とする請求項１、２、３、４、５、６、７または８のいずれか１項記載の冷却装置。
【請求項１０】
外気吹出口にフィルターを設けたことを特徴とする請求項１、２、３、４、５、６、７、８または９のいずれか１項記載の冷却装置。
【請求項１１】
機器が設置されている箱体構造物に取り付けた際、冷却装置の底面に外気吹出口を設けたことを特徴とする請求項１、２、３、４、５、６、７、８、９または１０のいずれか１項記載の冷却装置。
【発明の詳細な説明】
【技術分野】
【０００１】
本発明は、屋外に設置される箱体構造物で、内部に通信機器等の発熱体を有し、その発熱量が多いため冬季においても冷却を要し、また、温度、湿度、粉塵などが性能、寿命に影響を与えるような精密機器を有する箱体構造物の冷却装置に関するものである。
【背景技術】
【０００２】
従来、この種の冷却装置は、伝熱板の上下に送風機を配置し、制御盤内に取り付けられたものが知られている（例えば、実用新案参考文献１参照）。
【０００３】
以下、その冷却装置について、図２０を参照しながら説明する。
【０００４】
冷却装置１０１は制御盤の扉１０２の内面に取り付けられ、制御盤内空間１０３と制御盤外空間１０４に分離されている。１０５は冷却装置１０１のケースであり、縦長の箱状に形成され、扉１０２に取り付けるためのフランジＡ１０６が上下左右に形成されている。フランジＡ１０６の正面には扉１０２との気密のためパッキン１０７が張り付けられている。ケース１０５の底面には内気吸気孔１０８および内気排気孔１０９が設けられている。ケース１０５の中央部に収納された伝熱板１１０は薄板をコルゲート状に折り曲げ、多数の隔壁部が等間隔で形成され、その長手方向の両端部が交互に１つおきに橋絡部によって接続され、交互に位置する複数個の内気側矩形流路１１１と外気側矩形流路１１２とを形成している。また、伝熱板１１０の下端に配置されたシール金具１１３の指部１１３Ａは矩形流路の奥側が高くなるように若干の勾配θをつけて鈍角に曲げられており、この指部１１３Ａのバックアップ部材として外気側矩形流路１１２の下端部にシール部材１１４が充填されている。ケース１０５の内気吸気孔１０８は内気側矩形流路１１１に連通し、内気排気孔１０９には内気吸い込みファン１１５が取り付けられている。扉１０２の中間には外気側矩形流路１１２に連通する外気吸気孔１１６が、その下端部がシール金具１１３の横基盤部の上縁部と同一、またはそれより低い位置に設けられており、上部には外気排気孔１１７が設けられ、外気吸い込みファン１１８が取り付けられている。
【０００５】
冷却装置１０１を作動させると、制御盤内空間１０３の高温空気は矢印ａで示すように内気吸気孔１０８から吸い込まれ、内気側矩形流路１１１内を分流してファン１１５によって再び制御盤内空間１０３に戻される。一方、制御盤外空間１０４の低温空気は矢印ｂで示すように外気吸気孔１１６から吸い込まれ、外気側矩形流路１１２内を分流してファン１１８によって制御盤外空間１０４に戻される。上記の強制対流により、伝熱板１１０の隔壁部を介して熱交換が行われ、制御盤内の空気が冷却される。
【０００６】
また、偶発的な原因により飛散水が制御盤に降りかかると、飛散水が外気吸気孔１１６から外気側矩形流路１１２の奥まで進入するが、シール部材１１４の充填により下方への漏水が阻止される。そして、外気吸気孔１１６の下端部はシール金具１１３の横基盤部の上縁部と同一、またはそれより低い位置に設けられているので、飛散水は外気側矩形流路１１２内に滞留することなく外気吸気孔より排水される。
【特許文献１】実開平５−８２５３号公報
【発明の開示】
【発明が解決しようとする課題】
【０００７】
このような従来の冷却装置では、伝熱板の上下にファンが配置されているため、高さ寸法が大きくなり本体寸法が大きくなるという課題があり、本体の小型化が要求されている。
【０００８】
また、内気吸気孔が冷却装置の上部から中央よりに設けられるため、制御板内空間上方の高温空気を取り込み難いという課題があり、制御板内空間の空気を効率よく取り込み冷却することが要求されている。
【０００９】
また、屋外に設置した場合等の過酷な条件下においては、雨水および塵埃等が内気側矩形流路へ浸入する可能性があり、屋外設置においても循環風路および被冷却対象物への雨水および塵埃等の浸入を防止することが要求されている。
【００１０】
また、ファン、伝熱板の保守点検および交換作業を行う場合、扉から冷却装置を取り外さなければならないという課題があり、メンテ作業のし易い構造が要求されている。
【００１１】
本発明は、このような従来の課題を解決するものであり、本体の小型化ができ、また冷却対象空間の空気を効率よく回収し冷却することができ、また屋外設置等の過酷な条件下でも、循環風路および冷却対象物への雨水および塵埃等の浸入を防止することができ、またメンテ作業のし易い構造の冷却装置を提供することを目的としている。
【課題を解決するための手段】
【００１２】
本発明の冷却装置は上記目的を達成するために、顕熱交換器と循環用送風機と外気用送風機と収容部を備え、前記収容部に前記顕熱交換器と前記循環用送風機と前記外気用送風機が収容され、前記収容部に循環空気吸込口と循環空気吹出口を備え、機器の発熱により熱せられた空気を前記循環用送風機により前記収容部の前記循環空気吸込口を経由して前記顕熱交換器に送風し前記顕熱交換器で前記外気用送風機により送風された外気と顕熱交換して冷却後、前記収容部の前記循環空気吹出口を経由して機器が設置されている空間に送られ空気循環する冷却装置において、前記循環用送風機と前記外気用送風機を隣接させ、前記循環用送風機および前記外気用送風機の吸込側に前記顕熱交換器を配し、前記循環空気吸込口を前記収容部の上方に設け、前記外気吸込口を覆うカバー部材を設けたものである。
【００１３】
この手段により本体の小型化ができ、また箱体構造物内の空気を効率よく回収し冷却することができ、また屋外設置等の過酷な条件下でも、循環風路および被冷却対象物への雨水および塵埃等の浸入を防止することができる冷却装置が得られる。
【００１４】
また他の手段は、循環用送風機と外気用送風機とを隣接させ、前記循環用送風機及び前記外気用送風機の吹出側に顕熱交換器を配置したものである。
【００１５】
この手段により本体の小型化ができ、屋外設置等の過酷な条件下でも、循環風路および被冷却対象物への雨水および塵埃等の浸入を防止することができる冷却装置が得られる。
【００１６】
また他の手段は、循環用送風機と外気用送風機とを隣接させ、前記循環用送風機の吹出側かつ前記外気用送風機の吸込側に顕熱交換器を配置したものである。
【００１７】
この手段により本体の小型化ができ、屋外設置等の過酷な条件下でも、循環風路および被冷却対象物への雨水および塵埃等の浸入を防止することができる冷却装置が得られる。
【００１８】
また他の手段は、機器が設置されている箱体構造物に冷却装置を取り付けた際、前記冷却装置の上面を前記冷却装置の上面の雨水が箱体構造物に取付られた方向に流れない構造としたものである。
【００１９】
この手段により屋外設置等の過酷な条件下でも、循環風路および被冷却対象物への雨水および塵埃等の浸入を防止することができる冷却装置が得られる。
【００２０】
また他の手段は、収容部と蓋状部材を備え、前記蓋状部材は前記収容部に取り付けられた際、収容部の一面全部または一部をなし、前記蓋状部材がなす面の略法線方向に押圧力を発生させる固定手段により前記蓋状部材と前記収容部とを固定したものである。
【００２１】
この手段により屋外設置等の過酷な条件下でも、循環風路および被冷却対象物への雨水および塵埃等の浸入を防止することができる冷却装置が得られる。
【００２２】
また他の手段は、循環用送風機、外気用送風機および顕熱交換器をそれぞれ独立して収容部から着脱可能としたものである。
【００２３】
この手段によりメンテ作業のし易い構造の冷却装置が得られる。
【００２４】
また他の手段は、循環用送風機および外気用送風機の少なくとも１つを蓋状部材に固定したものである。
【００２５】
この手段によりメンテ作業のし易い構造の冷却装置が得られる。
【００２６】
また他の手段は、顕熱交換器を固定する顕熱交換器固定手段を可動または着脱可能としたものである。
【００２７】
この手段によりメンテ作業のし易い構造の冷却装置が得られる。
【００２８】
また他の手段は、顕熱交換器固定手段に循環用送風機または外気用送風機の少なくとも１つを固定したものである。
【００２９】
この手段によりメンテ作業のし易い構造の冷却装置が得られる。
【００３０】
また他の手段は、外気吹出口にフィルターを設けたものである。
【００３１】
この手段により屋外設置等の過酷な条件下でも、循環風路および被冷却対象物への雨水および塵埃等の浸入を防止することができる冷却装置が得られる。
【００３２】
また他の手段は、機器が設置されている箱体構造物に取り付けた際、冷却装置の底面に外気吹出口を設けたものである。
【００３３】
この手段により屋外設置等の過酷な条件下でも、循環風路および被冷却対象物への雨水および塵埃等の浸入を防止することができる冷却装置が得られる。
【発明の効果】
【００３４】
本発明によれば本体の小型化ができるという効果のある冷却装置を提供できる。
【００３５】
また、冷却対象空間の空気を効率よく回収し冷却することができるという効果のある冷却装置を提供できる。
【００３６】
また、屋外設置等の過酷な条件下でも、循環風路および冷却対象物への雨水および塵埃等の浸入を防止することができるという効果のある冷却装置を提供できる。
【００３７】
また、メンテ作業がし易いという効果のある冷却装置を提供できる。
【発明を実施するための最良の形態】
【００３８】
本発明の請求項１記載の発明は、顕熱交換器と循環用送風機と外気用送風機と収容部を備え、前記収容部に前記顕熱交換器と前記循環用送風機と前記外気用送風機が収容され、前記収容部に循環空気吸込口と循環空気吹出口を備え、機器の発熱により熱せられた空気を前記循環用送風機により前記収容部の前記循環空気吸込口を経由して前記顕熱交換器に送風し前記顕熱交換器で前記外気用送風機により送風された外気と顕熱交換して冷却後、前記収容部の前記循環空気吹出口を経由して機器が設置されている空間に送られ空気循環する冷却装置において、前記循環用送風機と前記外気用送風機を隣接させ、前記循環用送風機および前記外気用送風機の吸込側に前記顕熱交換器を配し、前記循環空気吸込口を前記収容部の上方に設け、前記外気吸込口を覆うカバー部材を設けたものであり、前記循環空気吸込口を前記収容部の上方に配置することにより機器が設置されている空間上方の高温空気を取り込むことができ、また前記循環用送風機及び前記外気用送風機の吸込側に前記顕熱交換器を配置することにより前記顕熱交換器の風速分布をほぼ均一化し、高い熱交換性能を確保することができ、また前記外気吸込口をカバー部材で覆うことにより、前記外気吸込口からの雨水の浸入を抑制し、また前記循環用送風機と前記外気用送風機とを隣接させることにより、送風機の外形寸法とほぼ同等寸法分、冷却装置の外形寸法を低減できるという作用を有する。
【００３９】
また、循環用送風機と外気用送風機とを隣接させ、前記循環用送風機及び前記外気用送風機の吹出側に顕熱交換器を配置したものであり、前記循環用送風機と前記外気用送風機とを隣接させることにより、送風機の外形寸法とほぼ同等寸法分、冷却装置の外形寸法を低減でき、また前記循環用送風機及び前記外気用送風機の吹出側に前記顕熱交換器を配置することにより、冷却装置内部の圧力状態を屋外の大気圧よりも高い状態とするという作用を有する。
【００４０】
また、循環用送風機と外気用送風機とを隣接させ、前記循環用送風機の吹出側かつ前記外気用送風機の吸込側に顕熱交換器を配置したものであり、前記循環用送風機と前記外気用送風機とを隣接させることにより、前記送風機の外形寸法とほぼ同等寸法分、冷却装置の外形寸法を低減でき、また前記循環用送風機の吹出側かつ前記外気用送風機の吸込側に顕熱交換器を配置することにより、前記冷却装置内の循環風路の圧力状態を外気風路の圧力状態よりも高い状態とするという作用を有する。
【００４１】
また、機器が設置されている箱体構造物に冷却装置を取り付けた際、前記冷却装置の上面を前記冷却装置の上面の雨水が箱体構造物に取付られた方向に流れない構造としたものであり、前記冷却装置の上面の雨水を前記冷却装置と前記箱体構造物内との取り付け面以外の方向へ排水するという作用を有する。
【００４２】
また、収容部と蓋状部材を備え、前記蓋状部材は前記収容部に取り付けられた際、収容部の一面全部または一部をなし、前記蓋状部材がなす面の略法線方向に押圧力を発生させる固定手段により前記蓋状部材と前記収容部とを固定したものであり、前記収容部と前記箱状部材を完全に密着させるという作用を有する。
【００４３】
また、循環用送風機、外気用送風機および顕熱交換器をそれぞれ独立して収容部から着脱可能としたものであり、前記循環用送風機、前記外気用送風機および前記顕熱交換器の交換が容易に行えるという作用を有する。
【００４４】
また、循環用送風機および外気用送風機の少なくとも１つを蓋状部材に固定したものであり、メンテおよび交換作業時に前記蓋状部材を取り外すと同時に、前記循環用送風機および前記外気用送風機の少なくとも１つを収容部から取り外すことができ、前記蓋状部材を取り付けると同時に、前記収容部に前記循環用送風機、前記外気用送風機を収容できるという作用を有する。
【００４５】
また、顕熱交換器を固定する顕熱交換器固定手段を可動または着脱可能としたものであり、前記顕熱交換器の着脱作業が容易に行えるという作用を有する。
【００４６】
また、着脱可能な顕熱交換器固定手段に循環用送風機または外気用送風機の少なくとも１つを固定したものであり、前記顕熱交換器固定手段を取り外すと同時に、前記循環用送風機または前記外気用送風機の少なくとも１つを収容部から取り外し、前記顕熱交換器の取り外し作業も容易に行うことができ、また前記顕熱交換器固定手段を固定すると同時に、前記顕熱交換器の固定と前記循環用送風機または前記外気用送風機の少なくとも１つの固定が行えるという作用を有する。
【００４７】
また、外気吹出口にフィルターを設けたものであり、外気吹出口からの雨水および塵埃の進入を防止するという作用を有する。
【００４８】
また、機器が設置されている箱体構造物に取り付けた際、冷却装置の底面に外気吹出口を設けたものであり、外気吹出口から進入した雨水を箱体内部に滞留させることなく、速やかに排水できるという作用を有する。
【００４９】
以下、本発明の実施の形態について図面を参照しながら説明する。
【００５０】
（実施の形態１）
図１は冷却装置１０１の正面概略断面図、図２は循環風路を示す側面概略断面図、図３は外気風路を示す側面概略断面図、図４はフロントパネルの概略図である。
【００５１】
図２に示すように冷却装置１０１は、ボディ１の背面に設けられたフランジＡ１０６により、通信機器等の発熱体を収容した箱体構造物２の外郭２ａにパッキン１０７を介して取り付けられている。
【００５２】
ボディ１は箱体構造物２内の空気（以下、内気と称す）と外気との顕熱を交換する顕熱交換器３と内気を搬送するための循環用ファン４と外気を搬送するための外気用ファン５を内部に備え、内気をボディ１の背面左上に配置された循環空気吸込口６より取り込み、顕熱交換器３を通過し、循環用ファン４に取り込まれた後、ボディ１の背面右下に配置された循環空気吹出口７より再び箱体構造物２内に戻し循環させる循環風路８と、外気をフロントパネル９の右上に形成された外気吸込口１０より取り込み、顕熱交換器３を通過し、外気用ファン６に取り込まれた後、ボディ１の底面に形成された外気吹出口１１より再び箱体構造物２外へ排出する外気風路１２とをそれぞれ独立して構成している。
【００５３】
ボディ１は正面が開口した箱状をなし、フロントパネル９はボディ１に取り付けられた際、ボディ１の正面開口部を閉鎖し、ボディ１の上下左右の各面と重なり合う折り返し部を備えている。
【００５４】
顕熱交換器３は図５および図６に示すように伝熱板Ａ１３と伝熱板Ｂ１４を交互に積層することにより構成され、それぞれの伝熱板の表裏に風路Ａ１５と風路Ｂ１６とが構成され、風路Ａ１５及び風路Ｂ１６を流れる流体はそれぞれの伝熱板を介して熱交換を行う。実際は多数の伝熱板Ａ１３及び伝熱板Ｂ１４が交互に積層されているが、簡略のため４枚の伝熱板を示している。伝熱板Ａ１３及び伝熱板Ｂ１４は平面形状が略菱形状をなし、厚さがたとえば０．２ｍｍのポリスチレンシートの真空成型加工により成型されており、伝熱板Ａ１３は中空凸状に、例えば凸高さ１．５ｍｍ、幅５ｍｍに形成された外周リブ１７ａを菱形の対向する一対の外周縁部に備え、外周リブ１７ａと等しい凸高さで幅１ｍｍに形成された風路リブ１８ａを外周リブ１７ａと略平行、略等間隔に複数、たとえば５本備え、外周リブ１７ａと風路リブ１８ａにより風路Ａ１５及び伝熱面Ａ１９が形成される。一方、伝熱板Ｂ１４は伝熱板Ａ１３と交互に積層した際、風路Ａ１５と風路Ｂ１６が交差するように形成されるように、外周リブ１７ａと同形状の外周リブ１７ｂを菱形の対向する他方の一対の外周縁部に備え、外周リブ１７ａと同形状の風路リブ１８ｂを外周リブ１７ｂと略平行、略等間隔に複数、たとえば５本備え、外周リブ１７ｂと風路リブ１８ｂにより風路Ｂ１６及び伝熱面Ｂ２０が形成される。
【００５５】
略菱形柱状の顕熱交換器３は正面および背面にゴム等の弾性体からなるシール部材２１を備え、ボディ１に備えられた顕熱交換器３を固定すると同時に循環風路８と外気風路９とを区画するための熱交固定部２２によりゴム等の弾性体からなるシール部材２１を介して固定されている。
【００５６】
循環用ファン４および外気用ファン５はそれぞれ循環用ファン固定部材２３および外気用ファン固定部材２４が取り付けられ、循環用ファン固定部材２３および外気用ファン固定部材２４に備えられたシールドナット２５とボルト２６により循環用ファン固定部材２３および外気用ファン固定部材２４はそれぞれ隣接するようにフロントパネル９に固定されている。
【００５７】
ボディ１の正面にはフランジＢ２７が設けられ、フランジＢ２７にはシールドナット２５が取り付けられており、ボディ１とフロントパネル９はシール部材２１を介して、シールドナット２５とボルト２６により正面より固定される。
【００５８】
また、背面および下方が開口し、上面が正面方向下向きに傾斜しているフード２８がボディ１およびフロントパネル９を覆うように取り付けられ、フロントパネル９とフード２８との空間には外気吸込口用フィルター２９が取り付けられている。
【００５９】
また、外気吹出口７のボディ１内部には外気吹出口用フィルター３０が備えられている。
【００６０】
上記構成により、冷却装置１０１は箱体構造物２内の空気よりも低い温度の外気と箱体構造物２内上方の高温空気を取り込み、顕熱交換気３をほぼ均一した風速分布で通過させ顕熱交換を行い、暖かくなった外気を排出し、冷却された空気を箱体構造物２内へ給気し、箱体構造物２内を冷却することができる。
【００６１】
また、顕熱交換器３の正面および背面に備えたシール部材２１とボディ１およびフロントパネル９との密接、顕熱交換器３と熱交固定部２２に設けたシール部材２１との密接および熱交固定部２２により、循環風路８と外気風路９との空気が混合せず、ボディ１に設けたフランジＢ２７とフロントパネル９とをシール部材２１を介して、フランジＢ２７およびフロントパネル９の法線方向にシールドナット２５とボルト２６により固定し密封することにより、ボディ１の上下左右の各面とフロントパネル９の折り返し部とのクリアランス隙間から外気に含まれる塵埃や雨水が循環風路へ進入することがなく、外気吹出口用フィルター３０により停止時や強風時に外気吹出口１１からの塵埃や雨水の進入を軽減でき、外気吹出口１１を冷却装置１０１の底面に設けることにより、外気吹出口１１から雨水が侵入してもすみやかに排水でき、雨水が冷却装置１０１内に滞留することを防止できる。
【００６２】
また、フード２８の上面を正面下向きに傾斜させることでフード２８上面の雨水を、冷却装置１０１と箱体構造物２との取り付け面とは反対方向へ排水することができる。
【００６３】
また、フロントパネル９に循環用ファン４および外気用ファン５を取り付けることにより、フロントパネル９の着脱と同時に内気用外ファン４および外気用ファン５をボディ１から取り外すことができ、また顕熱交換器３、循環用ファン４および外気用ファン５をそれぞれの単体ごとで着脱が可能となる。
【００６４】
なお、本実施の形態では顕熱交換器３にポリスチレンシートの真空成形加工により成形された伝熱板を多数枚積層した略菱形柱状の顕熱交換器を用いたが、２つの流体がそれぞれ独立した風路を流れ、顕熱交換行えるものであれば、その他の工法、材質および形状の顕熱交換器を用いても同様の作用効果を得ることができる。
【００６５】
また、循環用ファン４および外気用ファン５の配置構成は一例であり、図７および図８に示すような構成や、循環用ファン４と外気用ファン５とを隣接させ、循環用ファン４及び外気用ファン５の吸込側に顕熱交換器３を配置し、循環用ファン４及び外気用ファン５がフロントパネル９に固定された構成であれば同様の作用効果を得ることができる。
【００６６】
また、フード２８の上面を正面下向きに傾斜させたが、左右方向下向きに傾斜させても同様の作用効果を得ることができる。
【００６７】
また、フード２８はケース１とフロントパネル９をすべて覆う形状としたが、内部に外気吸込口用フィルター２９を収納し、外気吸込口１０のみを覆う形状とし、ケース１およびフロントパネル９の天面を傾斜させる構造としても同様の作用効果を得ることができる。
【００６８】
（実施の形態２）
図９は冷却装置１０１の正面概略断面図、図１０は循環風路を示す側面概略断面図、図１１は外気風路を示す側面概略断面図である。
【００６９】
なお、実施の形態１と同一部分は同一番号とし、同一の作用効果を有するものとし、詳細な説明は省略する。
【００７０】
図９、図１０および図１１に示すように、循環用ファン４は循環空気吸込口６と、外気用ファン５は外気吸込口１０と隣接し、かつ循環用ファン４と外気用ファン５がそれぞれ隣接して配置され、循環用ファン４は循環用ファン固定部材２３に取り付けられ、循環用ファン固定部材２３は循環用ファン固定部材２３に備えられたシールドナット２５とボルト２６により循環用ファン固定部材２３はフロントパネル９に固定されている。一方、外気用ファン５は直接フロントパネル９に固定されている。
【００７１】
また、熱交固定部２２ａは、ボディ１に備えられシールドナット２５を有する固定板３１とシール部材２１を介してボルト２６により着脱可能な構造である。
【００７２】
上記構成により、冷却装置１０１は箱体構造物２内の高温空気を循環空気吸込口６から循環用ファン４に取り込み、循環用ファン４から吹出された内気を顕熱交換器３に通過させ、その際、内気は外気との熱交換により冷却され、循環空気吹出口７より箱体構造物２内へ給気し、箱体構造物２内を冷却することができ、一方、箱体構造物２内の空気よりも低い温度の外気をフード２８内の外気吸込口用フィルター２９を通過させ、フロントパネル９に設けた外気吸込口１０から外気用ファン５に取り込み、外気用ファン５から吹出された外気を顕熱交換器３に通過させ、その際外気は内気との熱交換により暖められ、外気吹出口フィルター３０を通過させ、外気吹出口１１より排出する。循環用ファン４の吸込口と循環空気吸込口６とを隣接させ、また外気用ファン５の吸込口と外気吸込口１０を隣接させ、循環用ファン４および外気用ファン５から吹出された内気および外気を冷却装置１０１内へ送風することにより、冷却装置１０１内の圧力は大気圧よりも高い状態なり、冷却装置１０１内へ外気に含まれる塵埃や雨水の進入を防止することが出できる。
【００７３】
また、図１３に示すように、顕熱交換器３の着脱時には、固定板３１と熱交固定部２２ａを取り外すことにより、顕熱交換器３の着脱の着脱作業を容易に行うことができる。
【００７４】
なお、本実施の形態では熱交固定部２２ａを着脱可能な構造としたが、上下方向へスライドする構造としても同様の作用効果を得ることができる。
【００７５】
（実施の形態３）
図１４は冷却装置１０１の正面概略断面図、図１５は側面概略断面図、図１６はフロントパネルの概略正面図である。
【００７６】
なお、実施の形態１および２と同一部分は同一番号とし、同一の作用効果を有するものとし、詳細な説明は省略する。
【００７７】
図１４、図１５および図１６に示すように、循環用ファン４の吸込口は循環空気吸込口６と隣接し、外気用ファン５の吹出口は外気吹出口１１と隣接し、さらに循環用ファン４と外気用ファン５はそれぞれ隣接して配置され、循環用ファン４は循環用ファン固定部材２３に取り付けられ、循環用ファン固定部材２３は、循環用ファン固定部材２３に備えられたシールドナット２５とボルト２６によりフロントパネル９に固定されている。
【００７８】
一方、外気用ファン５は熱交固定部２２ａを備えた外気用ファン固定部材２４に取り付けられ、ボディ１の背面に備えられたシールドナット２５とボルト２６によりボディ１に固定され、ボルト２６の取り外しにより、外気用ファン固定部材２４は可動となる。
【００７９】
外気用ファン固定部材２４とボディ１に備えられた固定板３１との間にはシール部材２１を介在させている。
【００８０】
上記構成により、冷却装置１０１は箱体構造物２内の高温空気を循環空気吸込口６から循環用ファン４に取り込み、循環用ファン４から吹出された内気を顕熱交換器３に通過させ、その際、内気は外気との熱交換により冷却され、循環空気吹出口７より箱体構造物２内へ給気し、箱体構造物２内を冷却することができ、一方、箱体構造物２内の空気よりも低い温度の外気をフード２８内の外気吸込口用フィルター２９を通過させ、フロントパネル９に設けた外気吸込口１０から取り込み、顕熱交換器３に通過させ、顕熱交換器３を通過する際、外気は内気との熱交換により暖められ、顕熱交換器３を通過した空気を外気用ファン５に取り込み、外気用ファン５から吹出された空気を外気吹出口１１より排出する。
【００８１】
循環用ファン４の吸込口と循環空気吸込口６とを隣接させ、循環用ファン４から吹出された内気を冷却装置１０１内へ送風し、外気用ファン５の吹出口と外気吹出口１１とを隣接させ、外気用ファン５が冷却装置１０１の外気風路１２の空気を吸込むことにより、冷却装置１０１内の循環風路８の圧力は外気風路１２および大気圧よりも高い状態なり、循環風路８への外気に含まれる塵埃や雨水の進入を防止することができる。
【００８２】
また、図１７に示すように、顕熱交換器３の着脱時には、熱交固定部２２ａを備えた外気用ファン固定部材２４を可動状態とし、外気用ファン固定部材２４を固定時の位置からずらすことにより、顕熱交換器３の着脱の着脱作業を容易に行うことができ、また、外気用ファン固定部材２４の固定により、外気用ファン５と顕熱交換器３とを同時に所定の位置に固定することができる。
【００８３】
なお、顕熱交換器３、循環用ファン４および外気用ファン５の配置構成は一例であり、図１８および図１９に示すような配置構成や循環用ファン４と外気用ファン５とを隣接させ、循環用ファン４の吹出側かつ外気用ファンの吸込側に顕熱交換器３を配置し、循環用ファン固定部材２３または外気用ファン固定部材２４の少なくとも一方の固定部材が熱交固定部２２を備えている構成であれば同様の作用効果を得ることができる。
【産業上の利用可能性】
【００８４】
本発明は、移動電話基地局、簡易無線局等の屋外に設置される箱体構造物で、内部に通信機器等の発熱体を有し、その発熱量が多いため冬季においても冷却を要し、温度、湿度、粉塵、雨水などが性能、寿命に影響を与えるような精密機器を有する箱体構造物の冷却装置に関するものである。
【図面の簡単な説明】
【００８５】
【図１】本発明の実施の形態１による冷却装置の正面概略断面図
【図２】同循環風路を示す側面概略断面図
【図３】同外気風路を示す側面概略断面図
【図４】同フロントパネルの概略図
【図５】同顕熱交換器の概略分解斜視図
【図６】同顕熱交換器の積層時の概略斜視図
【図７】同冷却装置の他の配置構成における正面概略断面図
【図８】同側面概略断面図
【図９】本発明の実施の形態２による冷却装置の正面概略断面図
【図１０】同循環風路を示す側面概略断面図
【図１１】同外気風路を示す側面概略断面図
【図１２】同フロントパネルの概略図
【図１３】同冷却装置の顕熱交換器着脱時の概略正面図
【図１４】本発明の実施の形態３による冷却装置の正面概略断面図
【図１５】同側面概略断面図
【図１６】同フロントパネルの概略図
【図１７】同冷却装置の顕熱交換器着脱時の概略正面図
【図１８】同冷却装置の他の配置構成における正面概略断面図
【図１９】同側面概略断面図
【図２０】従来の冷却装置を示す側面概略断面図
【符号の説明】
【００８６】
１  ボディ
２  箱体構造物
３  顕熱交換器
４  循環用ファン
５  外気用ファン
６  循環空気吸込口
７  循環空気吹出口
８  循環風路
９  フロントパネル
１０  外気吸込口
１１  外気吹出口
１２  外気風路
１３  伝熱板Ａ
１４  伝熱板Ｂ
１５  風路Ａ
１６  風路Ｂ
１７ａ  外周リブ
１７ｂ  外周リブ
１８ａ  風路リブ
１８ｂ  風路リブ
１９  伝熱面Ａ
２０  伝熱面Ｂ
２１  シール部材
２２  熱交固定部
２２ａ  熱交固定部
２３  循環用ファン固定部材
２４  外気用ファン固定部材
２５  シールドナット
２６  ボルト
２７  フランジＢ
２８  フード
２９  外気吸込口用フィルター
３０  外気吹出口用フィルター
３１  固定板
１０１  冷却装置
１０６  フランジＡ
１０７  パッキン
【図１】
2005098572.tif 000003
【図２】
2005098572.tif 000004
【図３】
2005098572.tif 000005
【図４】
2005098572.tif 000006
【図５】
2005098572.tif 000007
【図６】
2005098572.tif 000008
【図７】
2005098572.tif 000009
【図８】
2005098572.tif 000010
【図９】
2005098572.tif 000011
【図１０】
2005098572.tif 000012
【図１１】
2005098572.tif 000013
【図１２】
2005098572.tif 000014
【図１３】
2005098572.tif 000015
【図１４】
2005098572.tif 000016
【図１５】
2005098572.tif 000017
【図１６】
2005098572.tif 000018
【図１７】
2005098572.tif 000019
【図１８】
2005098572.tif 000020
【図１９】
2005098572.tif 000021
【図２０】
2005098572.tif 000022